(57)【特許請求の範囲】
【請求項１】
硬貨受入口に投入された硬貨を案内する硬貨通路であって、その案内する硬貨の正偽と、正貨の金種とを判別する硬貨判別手段が配設された第１の硬貨通路と、該第１の硬貨通路の下流端に上流端が連設された硬貨通路であって、前記第１の硬貨通路の下流端から案内された硬貨を格別の硬貨通路に振分け選別する硬貨振り分け手段が配設された第２の硬貨通路とを少なくとも有する硬貨選別装置おいて、
前記第１の硬貨通路の下流端と前記第２の硬貨通路の上流端との間であって、前記第１の硬貨通路の進行方向と対向する位置に、前記第１の硬貨通路の進行方向に対しほぼ直角に交わる姿勢で配設され、前記第１の硬貨通路の下流端から飛翔した硬貨を反発飛翔させて前記第１の硬貨通路へ送り戻す邪魔板を備えるようにしたことを特徴とする硬貨選別装置。
【発明の詳細な説明】
【０００１】
【発明の属する技術分野】
この発明は、投入硬貨の正偽と正貨の金種とを判別するとともに、偽貨を所定の硬貨通路に、また正貨を金種別にそれぞれ所定の硬貨通路に振分けて選別する硬貨選別装置に関する。
【０００２】
【従来の技術】
図５は従来の硬貨選別装置１を示す要部破断正面図である。
【０００３】
この硬貨選別装置１は、特にパチンコ台等の遊戯台間に配設され、径の異なる２種類の硬貨Ａ、Ｂ（径の大きさはＡ＞Ｂで、硬貨Ａは例えば５００円硬貨、硬貨Ｂは例えば１００円硬貨である）と、それ以外の硬貨Ｃを偽貨と判断して選別する比較的選別金種の少ない小型の硬貨選別装置である。
【０００４】
この硬貨選別装置１は、硬貨受入れ口２が上面に形成されたメインプレート３からなり、一点鎖線から上方に位置するメインプレート３の正面は図示せぬ開閉自在なゲートプレートに覆われ、一点鎖線から下方に位置するメインプレート３の正面はフロントプレート５により覆われている。
【０００５】
一方、メインプレート３の上方であって、ゲートプレートに覆われる部分（一点鎖線の上方）には、硬貨受入口２内に落下した硬貨を図面の右方向へ転動させて案内する傾斜した第１の硬貨通路６が形成され、この第１の硬貨通路６の下流端には、当該第１の硬貨通路６を転動した硬貨をさらに図面の左側方向へ案内する傾斜した第２の硬貨通路７が形成されている。
【０００６】
なお、上述した第１の硬貨通路６は硬貨受入口２から直接落下する硬貨を受け止める金属製のゲートレール２０と硬貨案内レール２１から構成され、これらゲートレール２０及び硬貨案内レール２１は図示せぬ前記ゲートプレート側に配設されている。
【０００７】
また第１の硬貨通路６の下流端に位置するメインプレート３の表面には、当該第１の硬貨通路６に沿って転動する硬貨を前記第２の硬貨通路７へ方向転換させて案内する円弧形状の硬貨案内ガイド２２が突設されている。またこの第１の硬貨通路６の途中には、当該第１の硬貨通路６を通過する硬貨の正偽と、正貨とみなされた硬貨の金種を判別するコイルセンサー２３が配設されている。
【０００８】
一方、上述した第２の硬貨通路７には、この第２の硬貨通路７を転動する硬貨を格別の硬貨通路に振分ける硬貨振り分け手段４が配設されている。
【０００９】
この硬貨振り分け手段４は第２の硬貨通路７の上流に配設され、この第２の硬貨通路７の上流を転動する硬貨を正偽貨に振分ける第１の硬貨振り分けレバー８と、後述する正貨を正貨Ａ、正貨Ｂとに振分ける第２の硬貨振り分けレバー１０とから構成されている。
【００１０】
このうち、上述した第１の硬貨振り分けレバー８によると、前記コイルセンサー２３により第１の硬貨通路６を通過する硬貨が偽貨Ｃと判断されると、その検出信号に基づき図示せぬ制御装置は第１の硬貨振り分けレバー８がその初期位置を維持する信号を送出し、これにより第２の硬貨通路７を閉塞して、当該第２の硬貨通路７へ転送された偽貨Ｃを第１の硬貨振り分けレバー８の下流に位置する前記第２の硬貨通路７から分岐された第３の硬貨通路９へ案内し、そこから偽貨Ｃを下方に落下させて、図示せぬ硬貨返却口へ返却する。
【００１１】
一方、前記コイルセンサー２３により第１の硬貨通路６を通過する硬貨が正貨Ａ、Ｂと判断されると、その検出信号に基づき図示せぬ制御装置は第１の硬貨振り分けレバー８に対し駆動信号を送出し、これに基づき当該第１の硬貨振り分けレバー８が駆動されて第２の硬貨通路７を解放し、当該第２の硬貨通路７へ転送された正貨Ａ、Ｂをさらにその下流へ転送させる。
【００１２】
一方、第２の硬貨通路７の下流端には、当該第２の硬貨通路７の下流端に転送された正貨を硬貨Ａと硬貨Ｂとに振分ける第２の硬貨振り分けレバー１０が配設されている。
【００１３】
このような、第２の硬貨振り分けレバー１０によると、前記コイルセンサー２３により第１の硬貨通路６を通過する硬貨が正貨Ａと判断されると、その検出信号に基づき図示せぬ制御装置は第２の硬貨振り分けレバー１０がその初期位置を維持する信号を送出し、これにより第２の硬貨通路７へ転送された正貨Ａを第２の硬貨振り分けレバー１０の下流に位置する当該第２の硬貨通路７から分岐された第４の硬貨通路１１へ振り分け、その下方から落下させて図示せぬ金庫内に収容する。
【００１４】
また、前記コイルセンサー２３により第１の硬貨通路６を通過する硬貨が正貨Ｂと判断されると、その検出信号に基づき制御装置は第２の硬貨振り分けレバー１０を駆動する信号を送出し、これに基づき第２の硬貨振り分けレバー１０が駆動されて第４の硬貨通路１１を閉塞し、第２の硬貨通路７の下流へ転送された正貨Ｂを当該第２の硬貨通路７から分岐した第５の硬貨通路１２に振分け、その下方から落下させて図示せぬ金庫内に収容する。
【００１５】
なお、上述した第１及び第２の硬貨振り分けレバー８、１０は、いずれも図示せぬソレノイド等の駆動手段により軸８ａ、１０ａを中心に図面に対し垂直方向へ回動するタイプのレバーで、ソレノイドが図示せぬ制御装置の駆動信号に基づき励磁されると、第１の硬貨振り分けレバー８は軸８ａを中心に図面に対し垂直上方へ回転し、第２の硬貨通路７の上流を解放して第３の硬貨通路９の上流を閉塞する。またソレノイドの励磁が解除されると図示せぬ復帰スプリングの付勢力により、第１の硬貨振り分けレバー８は軸８ａを中心に図面に対し垂直下方へ回転し、第２の硬貨通路７の上流を閉塞し、かつ第３の硬貨通路９の上流を拡開する初期位置に復帰する。
【００１６】
同様に、第２の硬貨振り分けレバー１０においても、ソレノイドが図示せぬ制御装置の駆動信号に基づき励磁されると、第２の硬貨振り分けレバー１０は軸１０ａを中心に図面に対し垂直上方へ回転し、第５の硬貨通路１２の上流を解放して第４の硬貨通路１１の上流を閉塞する。またソレノイドの励磁が解除されると図示せぬ復帰スプリングの付勢力により、第２の硬貨振り分けレバー１０は軸１０ａを中心に図面に対し垂直下方へ回転し、第５の硬貨通路１２の上流を閉塞し、かつ第４の硬貨通路１１の上流を拡開する初期位置に復帰する。
【００１７】
【発明が解決しようとする課題】
ところで、上述した従来の硬貨選別装置１によると、硬貨が硬貨受入口２内から一定の時間的間隔をもうけて投入される場合は上述した選別動作が確実に行われるので特に問題はないが、図６に示すように、連続投入等の要因によって一枚目の硬貨Ａ（これをＡ１とする）が第１の硬貨振り分けレバー８を通過中に、後続する２枚目の硬貨Ａ（これをＡ２とする）が、一枚目の硬貨Ａ１に接近すると図７で示すように２枚目の硬貨Ａ２も第１の硬貨振り分けレバー８を連続して通過するため２枚目の硬貨Ａ２の投入が検出されず、このため２枚の硬貨Ａ１、Ａ２を投入したにもかかわらずそれを認識できない現象、いわゆる硬貨の飲み込み現象が発生する虞があった。なお、２枚目の硬貨が硬貨Ｂ、硬貨Ｃであっても同様の現象が発生する。
【００１８】
このいわゆる硬貨の飲み込み現象が発生する主な要因は、図７の一点鎖線で示す矢印Ｄのように、後続する２枚目の硬貨Ａ２が猛烈な勢いで硬貨受入口２内に投入され、それが勢い良く第１の硬貨通路６に沿ってその下流に転送されると円弧形状の硬貨案内ガイド２２に激しく当接し、このため２枚目の硬貨Ａ２の進行方向がこの円弧形状の硬貨案内ガイド２２によって急激に第２の硬貨通路７側へ向けられるため２枚目の硬貨Ａ２が１枚目の硬貨Ａ１に追い付いてしまうと考えられる。
【００１９】
この発明は、上述した事情に鑑み、硬貨の飲み込み現象を可及的に低減させた硬貨選別装置を提供することを目的とする。
【００２０】
【課題を解決するための手段】
上述した課題を解決するため、この発明では、硬貨受入口に投入された硬貨を案内する硬貨通路であって、その案内する硬貨の正偽と、正貨の金種とを判別する硬貨判別手段が配設された第１の硬貨通路と、該第１の硬貨通路の下流端に上流端が連設された硬貨通路であって、前記第１の硬貨通路の下流端から案内された硬貨を格別の硬貨通路に振分け選別する硬貨振り分け手段が配設された第２の硬貨通路とを少なくとも有する硬貨選別装置おいて、前記第１の硬貨通路の下流端と前記第２の硬貨通路の上流端との間であって、前記第１の硬貨通路の進行方向と対向する位置に、前記第１の硬貨通路の進行方向に対しほぼ直角に交わる姿勢で配設され、前記第１の硬貨通路の下流端から飛翔した硬貨を反発飛翔させて前記第１の硬貨通路へ送り戻す邪魔板を備えるようにしている。
【００２１】
【発明の実施の形態】
以下この発明に係わる硬貨選別装置の一実施例を詳述する。
【００２２】
図１はこの発明に係わる硬貨選別装置３０の要部破断正面図で、図５と同一部分を同一符号で示す。
【００２３】
この硬貨選別装置３０も、従来と同様に特にパチンコ台等の遊戯台間に配設され、径の異なる２種類の硬貨Ａ、Ｂ（径の大きさはＡ＞Ｂで、硬貨Ａは例えば５００円硬貨、硬貨Ｂは例えば１００円硬貨である）と、それ以外の硬貨Ｃを偽貨と判断して選別する比較的選別金種の少ない小型の硬貨選別装置である。
【００２４】
この硬貨選別装置３０では、第１の硬貨通路６の下流端と第２の硬貨通路７の上流端との間のメインプレート３に、前記第１の硬貨通路６の進行方向に対しほぼ直角の方向に邪魔板４０が一体に形成されている。
【００２５】
次に、この邪魔板４０の作用を説明する。
【００２６】
図２に示すように、一枚目の硬貨Ａ（これをＡ１とする）が第１の硬貨振り分けレバー８を通過中に、連続投入等の要因によって後続する２枚目の硬貨Ａ（これをＡ２とする）が猛烈な勢いで硬貨受入口２内に投入され、それが勢い良く第１の硬貨通路６に沿ってその下流に転送されると、その２枚目の硬貨Ａ２は一点鎖線４１で示すように第１の硬貨通路６に沿って直進し、硬貨案内レール２１を飛び越えて第１の硬貨通路６の進行方向に対してほぼ直角に配設された前記邪魔板４０に衝突する。
【００２７】
一方、この第１の硬貨通路６の進行方向に対してほぼ直角に配設された邪魔板４０に衝突した第２の硬貨Ａ２は、その邪魔板４０の反発力により図３の一点鎖線４２で示すように再び第１の硬貨通路６の下流端側へ反発飛翔する。
【００２８】
このように、２枚目の硬貨Ａ２が第１の硬貨通路６の下流端側へ反発飛翔すると、２枚目の硬貨Ａ２は今度は第１の硬貨通路６に沿ってややゆっくりとした転動速度で図４の一点鎖線４３で示す矢印のように第２の硬貨通路７の上流端内に落下する。
【００２９】
なお、図４で示すように、２枚目の硬貨Ａ２が第２の硬貨通路７内に落下するまでに１枚目の硬貨Ａ１は第１の硬貨振り分けレバー８を通過するのに十分に時間が与えられることとなるので、以降に落下する２枚目の硬貨Ａ２に対する確実な振り分け選別が行われることとなる。
【００３０】
なお、上記実施例では、２枚目に投入される硬貨として硬貨Ａを代表して説明したが、もちろん連続投入される２枚目の硬貨として、硬貨Ｂ、あるいは偽貨として取り扱われる硬貨Ｃであっても、同様に邪魔板４０に衝突して第１の硬貨通路６の下流端側へ反発飛翔されるので、この場合も同様に確実な振り分け選別が行われることはいうまでもない。
【００３１】
なお、上記実施例では、第１の硬貨通路６の下流端から飛翔した硬貨を、再び該第１の硬貨通路６の下流端側へ反発飛翔させる邪魔板４０を、第１の硬貨通路６の進行方向に対してほぼ直角に配設するようにしたが、この邪魔板４０の形状及び第１の硬貨通路６の進行方向に対する向きは上記実施例に限定されることはなく、第１の硬貨通路６の下流端から飛翔した硬貨を、再び該第１の硬貨通路６の下流端側へ反発飛翔させる機能を有すれば良いことから、その形状及び配設方向は実施例に限定されない。
【００３２】
また上記実施例では邪魔板４０をメインプレート３と一体に形成するようにしたが、この発明は上記実施例に限定されることなく邪魔板４０をメインプレート３とは別体に形成し、これをメインプレート３の所定位置に固着させるようにしても良い。
【００３３】
【発明の効果】
以上説明したように、この発明では、第１の硬貨通路の下流端から飛翔した硬貨を、再び第１の硬貨通路の下流端側へ反発飛翔させる邪魔板を配設したため、第１の硬貨通路に沿い急激な速さで転動する硬貨の転動スピードを節度ある転動スピードに低下させることができ、このため硬貨の振り分け選別が一層確実に行なわれて、連続投入等の要因による２枚目以降の硬貨の飲み込み現象を可及的に低減させ、これにより常時安定した振り分け選別を行う硬貨選別装置を提供することができる。
【００３４】
また、邪魔板を配設する簡単な構造なので、従来の硬貨選別装置に対する大巾な設計変更を行う必要もなく、このため常時安定した振り分け選別を行う硬貨選別装置を安価に提供することができる。
【図面の簡単な説明】
【図１】図１はこの発明に係わる硬貨選別装置の要部破断正面図。
【図２】図２はこの発明に係わる硬貨選別装置の作用を示す要部破断正面図。
【図３】図３はこの発明に係わる硬貨選別装置の作用を示す要部破断正面図。
【図４】図４はこの発明に係わる硬貨選別装置の作用を示す要部破断正面図。
【図５】図５は従来の硬貨選別装置を示す要部破断正面図。
【図６】図６は従来の硬貨選別装置の作用を示す要部破断正面図。
【図７】図７は従来の硬貨選別装置の作用を示す要部破断正面図。
【符号の説明】
２…硬貨受入口
４…硬貨振り分け手段
６…第１の硬貨通路
７…第２の硬貨通路
２３…硬貨判別手段
３０…硬貨選別装置
４０…邪魔板
Ａ、Ｂ、Ｃ…硬貨
【図１】
0003695926.tif 000002
【図２】
0003695926.tif 000003
【図３】
0003695926.tif 000004
【図４】
0003695926.tif 000005
【図５】
0003695926.tif 000006
【図６】
0003695926.tif 000007
【図７】
0003695926.tif 000008